(57)【特許請求の範囲】
【請求項１】
通水された原水の流量を検知する流量センサと、アルカリイオン水及び酸性イオン水を生成する電解槽と、電解槽に印加する電圧を制御する制御手段と、前記電解槽で生成されたイオン水を吐水する吐水管と、吐水管の上流側に接続され電解槽で生成されたイオン水の一部をｐＨセンサに導入する通水管とを有し、電解槽の上流側に配置され、前記流量センサが通水停止を検知すると開いて電解槽の滞留水を前記通水管に排水可能とする止水弁と、通水管の下流側に配置され通水管から排出されたイオン水または電解槽の滞留水を貯留する排水用タンクと、排水用タンクに貯留された水を排水する排水用ポンプとを備え、前記排水用タンクと排水用ポンプを取り外し可能としたアルカリイオン整水器。
【請求項２】
前記通水管は、通水管の吐出口の上流側に排水用タンク内の水が満水になる前に同排水用タンクへの水の流入を防ぐ弁を備えたことを特徴とする請求項１記載のアルカリイオン整水器。
【請求項３】
前記排水用タンク内の水位を検知する水位検知手段を備え、前記制御手段は水位検知手段が排水用タンク内の水が所定の水位まで増加したことを検知した場合は排水用ポンプを駆動させる制御モードとし、前記水位検知手段が排水用タンク内の水が所定の水位まで減少したことを検知した場合は排水用ポンプを停止させる制御モードとしたことを特徴とする請求項２記載のアルカリイオン整水器。
【請求項４】
前記排水用ポンプに接続された排水ホースは、逆流防止弁を介して、前記電解槽から電磁弁を介して接続された補助吐水管に接続されていることを特徴とする請求項３記載のアルカリイオン整水器。
【発明の詳細な説明】
【０００１】
【発明の属する技術分野】
本発明はアルカリイオン整水器、より詳しくは、水道水等の原水を電気分解して、飲用あるいは医療用として利用されるアルカリイオン水、及び、化粧水あるいは殺菌洗浄水等として利用される酸性イオン水を製造する、アルカリイオン整水器に関するものである。
【０００２】
【従来の技術】
近年のアルカリイオン整水器の普及に伴い、連続電解方式のイオン水生成器として、使い勝手、キッチン回りの有効利用を追求した、いわゆるビルトインタイプのアルカリイオン整水器が普及し始めている。このビルトインアルカリイオン整水器は、電解槽内で水道水等を電気分解し、陽極側に酸性イオン水を生成し、また陰極側にアルカリイオン水を生成するもので、流し台の下やシステムキッチンの内部に備え付けられている。
【０００３】
以下、図４、図５を参照して、従来の連続電解方式のアルカリイオン整水器について説明する。図４は従来のビルトインアルカリイオン整水器の概略構造図、図５は図４に示すビルトインアルカリイオン整水器の操作表示部の概略図、図６は図４に示すビルトインアルカリイオン整水器の制御ブロック図である。
【０００４】
１は水道水等の原水管、２は浄水器用専用水栓、３は水栓、４は水栓３を介して原水管１と接続された原水供給管、５は原水供給管４と後述するビルトインアルカリイオン整水器の給水管とを接続する給水管接続ジョイント、６は吐水管である。また７は後述するビルトインアルカリイオン整水器側の通水管と吐水管６とを接続する吐水管接続ジョイント、８は給水管接続ジョイント５を介して接続されたビルトインアルカリイオン整水器、９は内部に原水中の残留塩素を吸着する活性炭や一般細菌、不純物等を取り除く中空糸膜等を備えた浄水部である。
【０００５】
１０は通水を確認し、後述する制御手段に制御指示する流量センサ、１１はグリセロリン酸カルシウムや乳酸カルシウム等のカルシウムイオンを原水中に付与し、導電率を高めるカルシウム供給部、１２は後述する電解槽側からの水の逆流を防止する逆止弁、１３は流量センサ１０及びカルシウム供給部１１を経由してきた水を電気分解する電解槽、１４は電解槽を二分し電極室を形成する隔膜である。さらに、１５，１６は電極板で、隔膜１４で二分されて形成された各電極室に配置されている。１７は電極板１５側の水を通水する通水管、１８は電極板１６側の水を後述する補助吐水管に流すための電磁弁（酸性水止水用）、１９は電極板１６側の水を吐水する補助吐水管である。
【０００６】
続いて、２０は電源投入用プラグ、２１は電源投入用プラグ２０からの交流電源を直流電源に変える電源部、２２はビルトインアルカリイオン整水器８の動作を制御する制御手段、２３はビルトインアルカリイオン整水器８の電解モードの選択等の操作及び操作状態を表示する操作表示部であり、本体から信号線で引き出せるようになっている。
【０００７】
図５の概略図に示すように、この操作表示部２３には、モード選択ボタン２３０、生成報知部２３１、ｐＨ調節ボタン２３２、洗浄報知部２３３、警告ブザー２３４等が設けられている。モード選択ボタン２３０は、アルカリイオン水生成モードと浄水モードのいずれかを選択できる。またｐＨ調節ボタン２３２によって強モード、中モード、弱モードのどれか一つのモードを切り換え、選択できるようになっている。
【０００８】
このモード選択ボタン２３０及びｐＨ調節ボタン２３２でそれぞれのモードの選択を行い通水すると、図４に示す制御手段２２によって電解の設定と通水状態が判断され、電気分解後所定の水を吐出することができる。生成報知部２３１はランプを備えており、電気分解の状態が落ち着いた時点で、ビルトインアルカリイオン整水器８で生成されるアルカリイオン水、酸性イオン水の水質が安定したことを点灯することにより利用者に報知する。
【０００９】
また、電極板１５，１６にＣａ，Ｍｇ等のスケールが付着してくると、再生のため電圧の極性を反転させて印加し洗浄するが、この場合、洗浄報知部２３３のランプを点灯又は点滅して洗浄の状態を利用者に報知する。
【００１０】
警告ブザー２３４は、吐出される水が、飲料用に適していない水であることを利用者に警告するためのもので、前記洗浄後または長時間放置後に通水した場合、ビルトインアルカリイオン整水器８内の滞留水を放出する間、報知音を鳴らしつづけて利用者に警告する。
【００１１】
次に図６に基づいて、従来のビルトインアルカリイオン整水器８の制御部について説明する。
【００１２】
２２０は制御手段２２の各制御部に動作指示を行うＭＰＵ（マイクロ・プロセッサ・ユニット）、２２１は流量センサ１０の信号をＭＰＵ２２０に伝達する流量検知部、２２２は操作表示部２３の操作内容をＭＰＵ２２０に伝達し、ＭＰＵ２２０の指示に従って操作表示部２３の表示等を行う操作表示制御部、２２３はＭＰＵ２２０の指示に従って、電解槽１３内の電極板１５，１６の極性及び電解の強さを制御する電解制御部、２２４はＭＰＵ２２０の指示に従って電磁弁１８（酸性水止水用）を制御する電磁弁制御部である。
【００１３】
次に以上のように構成された従来のビルトインアルカリイオン整水器８について、図４〜図６を参照しアルカリイオン水を生成する際の動作を説明する。
【００１４】
利用者は操作表示部２３のモード選択ボタン２３０及びｐＨ調節ボタン２３２を操作し、電解のモード及び電解の強さ等の電解の条件を設定して水栓３を開く。水栓３から通水された原水は、原水供給管４を通過し、浄水部９で原水中の残留塩素の臭いや一般細菌等の不純物が取り除かれ、流量センサ１０を経て、カルシウム供給部１１でグリセロリン酸カルシウム等が溶解され、電解容易な水に処理された後、逆止弁１２を経て電解槽１３に通水される。
【００１５】
一方、電源投入用プラグ２０よりＡＣ１００Ｖが供給され、電源部２１で制御及び電気分解に必要な直流電圧電流を発生させ、制御手段２２内の電解制御部２２３を介して電解槽１３の電極板１５，１６に給電される。相対的にプラス電圧を印加する電極板１６を陽極、マイナス電圧を印加する電極板１５を陰極とすると、これにより電解槽１３内に隔膜１４で仕切られた陽極室と陰極室とが形成される。
【００１６】
通水後、制御手段２２内の流量検知部２２１は、流量センサ１０の信号を読み取り、流量レベルが一定レベルを越えると、この状態を通水中と判断する。このとき操作表示部２３の操作により、操作表示制御部２２２にすでに電解の条件が設定されているから、ＭＰＵ２２０は電解槽１３による電気分解を行うために、極性を切り換え電極板１５が陰極になるように動作指令を電解制御部２２３に出力する。同時に電磁弁１８を開くように電磁弁制御部２２４に命令を出力する。これにより、電解制御部２２３は電極板１５が陰極になるように電極板１５，１６に電圧を印加し、電解槽１３の陰極室にはアルカリイオン水が、陽極室には酸性イオン水が生成されることになる。
【００１７】
生成されたアルカリイオン水は、通水管１７、吐水管接続ジョイント７を介して吐水管６から吐出され、また、生成された酸性水は電磁弁１８を介して補助吐水管１９から吐き出される。
【００１８】
さらに、制御手段２２は、電極板表面にＣａ，Ｍｇ等からなるスケール等の付着物が付着してきた場合、ビルトインアルカリイオン整水器８が止水状態になったとき、電圧の極性を反転させて印加し前記スケール等を電解水中に溶出させて電極板を洗浄する。その後、利用者が通水するとき、使い始めの数秒間は電解槽１３に溜まっていた洗浄水をそのまま外に放水する必要がある。この間、操作表示部２３の洗浄報知部２３３が点灯又は点滅し、また飲用不可の警告ブザーが鳴り、吐水される水を飲用しないように報知する。
【００１９】
【発明が解決しようとする課題】
このように従来のビルトインアルカリイオン整水器は、アルカリイオン水と浄水とが選択でき、またイオン水中のｐＨを強モード、中モード、弱モードの３つのレベルに制御できるものであるが、ｐＨセンサ等のｐＨ測定手段がなく、イオン水中のｐＨ値を所定の状態に保つようにフィードバック制御ができない。
【００２０】
また、従来のビルトインアルカリイオン整水器は、常時水路内に水が満たされているので、ｐＨセンサを付けた場合、ｐＨセンサの塩化カリウム（ＫＣｌ）等の内部溶液が流失しやすく、ｐＨセンサの寿命が短くなる。
【００２１】
さらに、従来のアルカリイオン整水器においては、洗浄を停止した後の最初の通水時に、吐水管から電解槽内の洗浄水が吐出し使い勝手が悪い。
【００２２】
そこで本発明では、安定したｐＨのイオン水を吐出することができ、電解槽内の水及び通水管の水を排水することにより、ｐＨセンサの寿命を長くすることができ、スケールを含有した洗浄水が飲料用の吐水管から吐出するのを防止することができるアルカリイオン整水器を提供することを目的とする。
【００２３】
【課題を解決するための手段】
上記課題を解決するために本発明のアルカリイオン整水器は、通水された原水の流量を検知する流量センサと、アルカリイオン水及び酸性イオン水を生成する電解槽と、電解槽に印加する電圧を制御する制御手段と、前記電解槽で生成されたイオン水を吐水する吐水管と、吐水管の上流側に接続され電解槽で生成されたイオン水の一部をｐＨセンサに導入する通水管とを有し、電解槽の上流側に配置され、前記流量センサが通水停止を検知すると開いて電解槽の滞留水を前記通水管に排水可能とする止水弁と、通水管の下流側に配置され通水管から排出されたイオン水または電解槽の滞留水を貯留する排水用タンクと、排水用タンクに貯留された水を排水する排水用ポンプとを備え、前記排水用タンクと排水用ポンプを取り外し可能としたことを特徴とする。
【００２４】
この発明によれば、安定したｐＨのイオン水を吐出することができ、電解槽内の水及び通水管の水を排水することにより、ｐＨセンサの寿命を長くすることができ、電解槽の洗浄水等の排水が飲料用の吐水管から吐出するのを防ぐことができる。
【００２５】
【発明の実施の形態】
本発明の請求項１に記載の発明は、通水された原水の流量を検知する流量センサと、アルカリイオン水及び酸性イオン水を生成する電解槽と、電解槽に印加する電圧を制御する制御手段と、前記電解槽で生成されたイオン水を吐水する吐水管と、吐水管の上流側に接続され電解槽で生成されたイオン水の一部をｐＨセンサに導入する通水管とを有し、電解槽の上流側に配置され、流量センサが通水停止を検知すると開いて電解槽の滞留水を前記通水管に排水可能とする止水弁と、通水管の下流側に配置され通水管から排出されたイオン水または電解槽の滞留水を貯留する排水用タンクと、排水用タンクに貯留された水を排水する排水用ポンプとを備え、前記排水用タンクと排水用ポンプを取り外し可能としたアルカリイオン整水器であり、安定したｐＨのイオン水を吐出することができ、電解槽内の水及び通水管の水を排水することにより、ｐＨセンサの寿命を長くすることができ、電解槽の洗浄水等の排水が飲料用の吐水管から吐出するのを防ぐことができる。
【００２６】
請求項２に記載された発明は、前記通水管は、通水管の吐出口の上流側に排水用タンク内の水が満水になる前に同排水用タンクへの水の流入を防ぐ弁を備えたものであり、これによって水が排水用タンクより溢れ出すのを防ぐことができる。
【００２７】
請求項３に記載された発明は、前記排水用タンク内の水位を検知する水位検知手段を備え、前記制御手段は水位検知手段が排水用タンク内の水が所定の水位まで増加したことを検知した場合は排水用ポンプを駆動させる制御モードとし、前記水位検知手段が排水用タンク内の水が所定の水位まで減少したことを検知した場合は排水用ポンプを停止させる制御モードとしたものであり、利用者が止水した時点で排水用タンク内の水がある一定量以上溜まっている場合、排水用ポンプによって強制的に排水を行うことができる。
【００２８】
請求項４に記載された発明は、前記排水用ポンプに接続された排水ホースは逆流防止弁を介して、電解槽から電磁弁を介して接続された補助吐水管に接続されているもので、これによって、別途に排水用の吐出口を設ける必要がなくなり、酸性水用の補助吐水管で代用することができる。
【００２９】
以下、本発明の実施の形態について図面を参照しながら説明する。
図１は本発明の実施の形態であるビルトインアルカリイオン整水器の概略構造図、図２は図１に示すビルトインアルカリイオン整水器の操作表示部概略図、図３は図１に示すビルトインアルカリイオン整水器の制御ブロック図である。なお、図１、図２、図３において、従来例に対応するものは、同じ符号を付している。
【００３０】
図１において、１は水道水等の原水管、２は浄水器用専用水栓、３は水栓、４は原水供給管、５は給水管接続ジョイント、６は吐水管、７は吐水管接続ジョイント、８はビルトインアルカリイオン整水器、９は浄水部、１０は流量センサである。また、１１はカルシウム供給部、１２は逆止弁、１３は電解槽、１４は隔膜、１５，１６は電極板、１７は通水管、１８は電磁弁（酸性水止水用）、１９は補助吐水管であり、２０は電源投入用プラグ、２１は電源部、２２は制御手段、２８は操作表示部をそれぞれ示す。
【００３１】
さらに、２４は電解槽の下部に位置し、原水管１からの通水中は水圧で閉じ、止水状態では開く止水弁（メカ弁）、２５は電極板１５側と止水弁２４と後述する電磁弁２６とを水路でつなぐ通水管である。
【００３２】
２６は、通水管２５に流れてきたｐＨ測定用の水や電解槽１３内の滞留水、さらには電極板洗浄のときのＣａ，Ｍｇ等からなるスケールが溶解した洗浄水を排水するための電磁弁（排水用）で、通水中はｐＨ測定のために、止水時は電解槽１３及び水路内の洗浄水等の滞留水を排水するために開状態となる。
【００３３】
２７は通水管２５から電磁弁２６を介して接続されたｐＨセンサである。ｐＨセンサ２７はガラス電極型のものや、半導体電極型、イオン導電性隔膜型のものを使用することができる。ｐＨセンサ２７で検出したｐＨ値検出信号は、制御手段２２内のｐＨ測定手段２２５に送信され、ここで処理される。
【００３４】
２８は操作表示部であり、図２に示すように、各種の設定と表示を行えるようになっており、ビルトインアルカリイオン整水器８の本体から信号線で引き出すことができる。
【００３５】
操作表示部２８において、２８０は生成するイオン水のｐＨ値を複数の濃度レベルに分けて段階的に設定できるｐＨ設定部である。また、２８１はｐＨ設定部２８０で所定の濃度レベルを選択設定したとき点灯する濃度レベル表示ランプである。本実施の形態では、ｐＨ設定部２８０の設定ボタンを数回押すことにより点灯位置が移動し所定の濃度レベルを選択設定することができる。２８２は生成報知部であり、イオン水生成中に生成するイオン水の水質が安定すると点灯するものである。これは、イオン水生成開始直後に点滅を開始させ、安定したら点灯するようにするのが望ましい。また、２８３はｐＨ値表示部であって、目標となるｐＨ値がデジタル表示される。２８４はｐＨ微調整部であり、ｐＨ設定部２８０で設定されるｐＨ値を各濃度レベル内で微調整し、適当な目標値に設定し直すものである。２８５は洗浄報知部、２８６は警告ブザーである。
【００３６】
２９はｐＨセンサ２７を通過した排水を放出する排水ホースであり、後述する排水用タンク３１に接続される。３０は制御手段２２と排水用タンク３１を結ぶ信号線である。排水ホース２９及び信号線３０は容易に排水用タンク３１に接続、取り外しできる構造になっている。
【００３７】
３１はビルトインアルカリイオン整水器８の排水を一時的に溜めておく排水用タンクである。排水用タンク３１において、３２は排水ホース２９を介して、本体からの排水を排水用タンク３１内に放出する止水弁であり、排水用タンク３１内の水が満水に近づいたら弁を閉じ、排水ホース２９からの排水の流入を防ぐ。３３は排水用タンク内の水位を測定する水位センサ、３４は排水用ポンプである。水位センサ３３及び排水用ポンプ３４はともに信号線３０を介して制御手段２２につながっている。３５は排水用ポンプ３４の吐水側に接続された排水ホース、３６は排水ホース３５を補助吐水管１９の途中に接続するための接続アダプタであり、内部に逆流防止の弁が内蔵されている。また補助吐水管１９の水は排水ホース３５へは流れないような構造になっている。３７は排水用タンク３１のまわりに結露した水等を受けるための受け皿である。
【００３８】
次に図３に基づいて、ビルトインアルカリイオン整水器８の制御部について説明する。２２０はＭＰＵ（マイクロ・プロセッサ・ユニット）、２２１は流量検知部、２２２は操作表示制御部、２２３は電解制御部である。２２４はＭＰＵ２２０の指示に従って電磁弁（酸性水止水用）１８及び電磁弁（排水用）２６を制御する電磁弁制御部である。２２５はｐＨセンサ２７の検出レベルよりｐＨ値を測定するｐＨ測定手段、２２６は排水用ポンプ３４を制御する排水用ポンプ制御部、２２７は水位センサ３３の信号により排水用タンク内の水位を検出する水位検出手段である。
【００３９】
次に以上のように構成されたビルトインアルカリイオン整水器８について、以下そのアルカリイオン水を生成する際の動作を説明する。
【００４０】
利用者は操作表示部２８のｐＨ設定部２８０を使用して、使用目的に応じた所定の濃度レベルを選択する（例えばｐＨ９．５）。このとき、現在どのｐＨ濃度レベルに設定されているかは濃度レベル表示ランプ２８１によって確認することがきる。また同時にｐＨ値表示部２８３に、設定された濃度レベルのｐＨ値がデジタル表示される。もし、デジタル表示されたｐＨ値を変更したい場合は、ｐＨ微調整部２８４のプラスボタンもしくはマイナスボタンを押すことにより調整することができる。
【００４１】
この後水栓３を開くと、水栓３から通水された原水は、原水供給管４を通過し、浄水部９で原水中の残留塩素の臭いや一般細菌等の不純物が取り除かれ、流量センサ１０を経て、カルシウム供給部１１でグリセロリン酸カルシウム等が溶解され電解容易な水に処理された後、逆止弁１２を経て電解槽１３に通水される。このとき止水弁２４は通水時の水圧により閉じた状態になるので、止水弁２４を介しては通水管２５には水は流れない。
【００４２】
通水後、制御手段２２内の流量検知部２２１は、流量センサ１０の信号を読み取り、流量レベルが一定レベルを越えるとこの状態を通水中と判断する。
【００４３】
このとき操作表示部２８の設定に基づいて、ＭＰＵ２２０は電解槽１３による電気分解を行うために、極性を切り換えて電極板１５が陰極になるように動作指令を電解制御部２２３に出力し、同時に電磁弁１８、電磁弁２６を開くように命令を電磁弁制御部２２４に出力する。これにより、電解制御部２２３は電極板１５が陰極になるように電極板１５，１６に電圧を印加し、電解槽１３の陰極室にはアルカリイオン水が、陽極室には酸性イオン水が生成されることになる。
【００４４】
生成されたアルカリイオン水は、通水管１７を通して吐水管６から吐出されるが、その一部は通水管２５、電磁弁２６を介してｐＨセンサ２７に導かれる。生成されたイオン水のｐＨ値はｐＨセンサ２７、ｐＨ測定手段２２５によって直ちにフィードバックされ、電解制御部２２３で電解出力を操作し、目標とするｐＨ値に近づけるように制御する。
【００４５】
水栓３を閉めると、制御手段２２は流量センサ１０からの信号で通水終了と判断し電解を停止し、電磁弁１８及び電磁弁２６を閉じる。このとき、止水弁２４は開き、電解槽１３内の滞留水が排水可能になる。ここで電磁弁２６及び電磁弁１８を開くことで、電解槽１３及び通水管等の滞留水は排水用タンク３１内に排水される。電磁弁１８を開くのは、補助吐水管１９からエアーを導き排水をスムーズにするためである。
【００４６】
排水が完了すると電磁弁１８及び電磁弁２６を閉じる。ここで、ｐＨセンサ２７内の水も同時に排水され、ｐＨセンサ２７の塩化カリウム（ＫＣｌ）等の内部溶液が流出するのを防止することができる。
【００４７】
前記排水が完了したとき、排水用タンク３１内の水位センサ３３により、ある一定以上水が溜まったことを制御手段２２内の水位検出手段２２７が検出した場合、排水用ポンプ制御部２２６によって排水用ポンプ３４を起動する。これで排水用タンク３１内の水は排水管３５、接続アダプタ３６を介して補助吐水管１９より放出される。このとき電磁弁１８は閉じているので、電解槽１３内に排水が流れ込むことはない。
【００４８】
排水用タンク３１の水位が下がれば、水位センサ３３の信号により水位検出手段２２７が排水用タンク３１内の水位が下がったことを検出し、排水用ポンプ制御部２２６は排水用ポンプ３４を停止させる。
【００４９】
さらに、制御手段２２は、電極板表面にＣａ，Ｍｇ等からなるスケール等の付着物が付着してきた場合、ビルトインアルカリイオン整水器８が止水状態になったとき、電圧の極性を反転させて印加し、スケール等を電解水中に溶出させて電極板を洗浄する。洗浄が終了するとスケールを含有した洗浄水は、電磁弁２６及び電磁弁１８を開くことで、排水用タンク３１内に排水される。
【００５０】
また、排水用タンク３１と排水用ポンプ３４は取り外し可能にしてあるので、ビルトインアルカリイオン整水器８の下方へそのまま排水できる場合、排水用タンク３１及び排水用ポンプ３４を取り外すこともできる。
【００５１】
【発明の効果】
以上の説明から分かるように、本発明のアルカリイオン整水器によれば、安定したｐＨのイオン水を吐出することができ、またｐＨセンサの寿命を延ばすことができる。さらには、電解槽の洗浄水等の排水が飲料用の吐水管から吐出するのを防ぐことができる。
【図面の簡単な説明】
【図１】  本発明の実施の形態であるビルトインアルカリイオン整水器の概略構造図
【図２】  図１に示すビルトインアルカリイオン整水器の操作表示部概略図
【図３】  図１に示すビルトインアルカリイオン整水器の制御ブロック図
【図４】  従来のビルトインアルカリイオン整水器の概略構造図
【図５】  図４に示すビルトインアルカリイオン整水器の操作表示部概略図
【図６】  図４に示すビルトインアルカリイオン整水器の制御ブロック図
【符号の説明】
１  原水管
２  浄水器用専用水栓
３  水栓
４  原水供給管
５  給水管接続ジョイント
６  吐水管
７  吐水管接続ジョイント
８  ビルトインアルカリイオン整水器
９  浄水部
１０  流量センサ
１１  カルシウム供給部
１２  逆止弁
１３  電解槽
１４  隔膜
１５，１６  電極板
１７  通水管
１８  電磁弁（酸性水止水用）
１９  補助吐水管
２０  電源投入用プラグ
２１  電源部
２２  制御手段
２３  操作表示部
２４  止水弁（メカ弁）
２５  通水管
２６  電磁弁（排水用）
２７  ｐＨセンサ
２８  操作表示部
２９  排水ホース
３０  信号線
３１  排水用タンク
３２  止水弁
３３  水位センサ
３４  排水用ポンプ
３５  排水ホース
３６  接続アダプタ（逆流防止弁）
３７  受け皿
２２０  ＭＰＵ（マイクロ・プロセッサ・ユニット）
２２１  流量検知部
２２２  操作表示制御部
２２３  電解制御部
２２４  電磁弁制御部
２２５  ｐＨ測定手段
２２６  排水用ポンプ制御部
２２７  水位検出手段
２３０  モード選択ボタン
２３１  生成報知部
２３２  ｐＨ調節ボタン
２３３  洗浄報知部
２３４  警告ブザー
２８０  ｐＨ設定部
２８１  濃度レベル表示ランプ
２８２  生成報知部
２８３  ｐＨ値表示部
２８４  ｐＨ微調整部
２８５  洗浄報知部
２８６  警告ブザー
【図１】
0003840699.tif 000002
【図２】
0003840699.tif 000003
【図３】
0003840699.tif 000004
【図４】
0003840699.tif 000005
【図５】
0003840699.tif 000006
【図６】
0003840699.tif 000007